(57)【要約】【課題】静電気による悪影響が生じることを抑制できる充電装置を提供する。【解決手段】充電装置２０は、携帯端末１０と接続可能な端子２４と、接地される除電回路４４と、電源（正極３４、負極３２）と接続される充電回路４０と、端子２４と除電回路４４が接続する状態と、端子２４と充電回路４０が接続する状態とを切り替えるスイッチＳＷ１、ＳＷ２を有している。スイッチＳＷ１、ＳＷ２は、携帯端末１０が充電装置２０に設置されてから所定の除電期間が経過するまでの間は、端子２４と除電回路４４を接続させ、携帯端末１０が充電装置２０に設置された状態で除電期間が経過した場合には、端子２４と充電回路４０を接続させる。【選択図】図３
2014075887.tif 000002
【特許請求の範囲】
【請求項１】
端末装置を充電する充電装置であって、
端末装置と接続可能な端子と、
接地される除電回路と、
電源と接続される充電回路と、
端子と除電回路が接続する状態と、端子と充電回路が接続する状態とを切り替えるスイッチと、
を有しており、
スイッチは、
端子と端末装置が接続される時点から第１の期間が経過するまでの間は、少なくとも端子と除電回路を接続させ、
端子と端末装置が接続された状態で第１の期間が経過した場合には、端子と充電回路を接続させる、
充電装置。
【請求項２】
スイッチは、端子と端末装置が接続されていない場合は、端子と除電回路を接続する、請求項１に記載の充電装置。
【請求項３】
端子の近傍に配置され、端子と端末装置の接続を検出可能なセンサと、
センサの出力に応じてスイッチを駆動する制御装置と、をさらに有しており、
制御装置は、センサによって、端子と端末装置が接続されていない状態が第２の期間だけ継続して検出された場合に、スイッチを駆動して端子と除電回路を接続させる、
請求項２に記載の充電装置。
【請求項４】
制御装置は、センサによって、端子と端末装置の接続が検出されてから第１の期間が経過する場合に、スイッチを駆動して端子と充電回路を接続させる、
請求項３に記載の充電装置。
【発明の詳細な説明】
【技術分野】
【０００１】
本明細書で開示する技術は、端末装置を充電可能な充電装置に関する。
【背景技術】
【０００２】
特許文献１は、充電装置にセットすることによって充電可能な端末装置を開示する。この端末装置は、ケースと、ケースの外面に露出して設けられた受電電極と、受電電極と間隔を空けてケース内に設けられた内部電極を備える。受電電極は、充電装置の端子と接続可能となっており、内部電極は、端末装置の内部回路と導通可能となっている。充電装置は、ケースの外面に設けられた充電端子と、充電端子に接続された充電回路を備える。端末装置を充電装置にセットすると、充電装置の充電端子が受電電極と接続するとともに、受電電極がケース内方へ変位し、内部電極と接触する。これにより、充電装置の充電回路と、端末装置の内部回路とが、充電端子、受電電極及び内部電極を介して電気的に接続する。この結果、充電装置から供給される電力によって、端末装置が充電される。
【０００３】
特許文献１の技術では、端末装置が充電装置にセットされていない状態では、受電電極と内部電極とが離間しているため、端末装置の外部で発生する静電気ノイズが端末装置の内部回路に悪影響を与えることを抑制することができる。
【先行技術文献】
【特許文献】
【０００４】
【特許文献１】特開２００８−２８８１３６号公報
【発明の概要】
【発明が解決しようとする課題】
【０００５】
特許文献１の技術では、静電気による端末装置への悪影響を防止することができるが、静電気による悪影響は充電装置にも生じることもある。例えば、端末装置には、使用中に静電気が帯電する場合がある。その場合、特許文献１の技術では、端末装置が充電装置にセットされ、受電電極と充電装置の端子が接続されると、端末装置に帯電した静電気が、充電装置の端子を介して充電回路に流れてしまうおそれがある。この結果、充電装置の充電回路に悪影響が生じるおそれがある。本明細書は、静電気による悪影響が生じることを抑制できる充電装置を提供する。
【課題を解決するための手段】
【０００６】
本明細書が開示する充電装置は、端末装置を充電する充電装置である。充電装置は、端末装置と接続可能な端子と、接地される除電回路と、電源と接続される充電回路と、端子と除電回路が接続する状態と、端子と充電回路が接続する状態とを切り替えるスイッチを有している。スイッチは、端子と端末装置が接続される時点から第１の期間が経過するまでの間は、少なくとも端子と除電回路を接続させ、端子と端末装置が接続された状態で第１の期間が経過した場合には、端子と充電回路を接続させる。
【０００７】
上記の充電装置では、端子と端末装置が接続した後、第１の期間が経過するまでの間は、端子が充電回路ではなく除電回路に接続されている。そのため、仮に、端末装置に静電気が帯電していたとしても、端子と端末装置が接続してから第１の期間が経過するまでの間に、帯電した静電気は除電回路を通じて除電される。第１の期間が経過して静電気が除電された後に、端子が充電回路と接続され、端末装置への充電が開始される。従って、この充電装置によると、静電気による充電装置への悪影響を抑制することができる。
【図面の簡単な説明】
【０００８】
【図１】第１実施例の充電装置２０を示す斜視図。
【図２】充電装置２０の設置部２３に携帯端末１０を設置する様子を示す側断面図。
【図３】充電装置２０の内部構成を示すブロック図。
【図４】充電装置２０の内部構成を示すブロック図。
【図５】充電装置２０の制御装置５０が実行する処理を示すフローチャート。
【図６】第２実施例の充電装置２０の内部構成を示すブロック図。
【発明を実施するための形態】
【０００９】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１０】
（特徴１）  スイッチは、端子と端末装置が接続されていない場合は、端子と除電回路を接続してもよい。
【００１１】
この構成によると、端子と端末装置が接続されていない間も、充電装置の外部で発生する静電気による充電装置への悪影響を抑制することができる。
【００１２】
（特徴２）  端子の近傍に配置され、端子と端末装置の接続を検出可能なセンサと、センサの出力に応じてスイッチを駆動する制御装置と、をさらに有していてもよい。制御装置は、センサによって、端子と端末装置が接続されていない状態が第２の期間だけ継続して検出された場合に、スイッチを駆動して端子と除電回路を接続させてもよい。
【００１３】
この構成によると、端子と端末装置の接続が解除されてから、再度端子と端末装置が接続するまでの期間が短い場合に、端子が充電回路と接続されるまでの第１の期間の経過を待つことなく、速やかに端末装置への充電を開始することができる。
【００１４】
（特徴３）  制御装置は、センサによって、端子と端末装置の接続が検出されてから第１の期間が経過する場合に、スイッチを駆動して端子と充電回路を接続させてもよい。
【００１５】
この構成によると、センサの出力に応じて、適切に静電気による充電装置への悪影響を抑制することができる。
【００１６】
（第１実施例）
図１は、携帯端末１０を充電する本実施例の充電装置２０を示している。携帯端末１０は、携帯型の端末装置である。携帯端末１０は、例えば、店舗内や倉庫内で利用される情報コードリーダである。情報コードリーダとは、バーコードや２次元コードを読み取るための装置である。
【００１７】
携帯端末１０の表面には、表示部１２と、操作部１４と、接続用電極１６が設けられている。表示部１２は、様々な情報を表示するディスプレイである。操作部１４は、複数のキーで構成されている。ユーザは、操作部１４を操作して様々な指示を携帯端末１０に入力する。接続用電極１６は、充電装置２０の端子２４（図１参照）と接続するための端子である。接続用電極１６は、携帯端末１０の下端部に露出している。
【００１８】
充電装置２０は、上記の通り、携帯端末１０を充電する装置である。充電装置２０は、筐体２２と、端子２４と、センサ２６と、表示用ＬＥＤ２８と、電源コード３０とを備えている。端子２４、センサ２６、表示用ＬＥＤ２８、及び、電源コード３０は、筐体２２外部から視認できる位置に設けられている。また、図１では示されていないが、筐体２２の内部には、後述の充電回路４０、検出回路４２、除電回路４４、制御装置５０等（図３参照）が収容されている。
【００１９】
筐体２２は、充電装置２０の本体を構成する。筐体２２には、携帯端末１０を設置するための設置部２３が形成されている。図２に示すように、設置部２３は、携帯端末１０の下側部分を収容可能な深さの凹部である。なお、図２では、筐体２２内に収容された各要素（後述の充電回路４０等）の図示を省略している。端子２４は、設置部２３の底部に備えられている。端子２４は、携帯端末１０の接続用電極１６と接続可能な導体である。端子２４の一部は設置部２３内に突出している。端子２４は、図示しないばね機構によって設置部２３内方向に付勢されている。そのため、ユーザが携帯端末１０の下側部分を設置部２３内に収容すると、携帯端末１０の接続用電極１６が端子２４と接触する。その状態から、携帯端末１０を設置部２３の底部に着座させると、端子２４は、携帯端末１０の接続用電極１６に押され、一部が筐体２２内に収容される。上記の通り、端子２４は、ばね機構によって付勢されているため、携帯端末１０を設置部２３内に着座させることによって、端子２４は接続用電極１６に押し付けられる。この結果、携帯端末１０を設置部２３内に設置することで、確実に端子２４と接続用電極１６が接続する。
【００２０】
設置部２３の底部付近には、センサ２６が設けられている。センサ２６は、携帯端末１０が設置部２３に設置されたことを検知するためのセンサである。センサ２６には、例えば赤外線センサが用いられる。図２に示すように、センサ２６は、端子２４の上端部よりも低い位置に設けられている。そのため、センサ２６の検知範囲も、端子２４の上端部より低い。従って、本実施例では、ユーザが携帯端末１０の下側部分を設置部２３内に収容すると、先に端子２４と接続用電極１６とが接続される。その後、携帯端末１０が設置部２３の底部に着座する直前に、センサ２６が、携帯端末１０の設置を検知する。即ち、本実施例では、センサ２６が携帯端末１０を検知するときには、端子２４と携帯端末１０の接続用電極１６とが既に接続されている。
【００２１】
また、図１に示すように、表示用ＬＥＤ２８は、筐体２２の外壁に設けられている。詳しくは後述するが、表示用ＬＥＤ２８は、携帯端末１０が設置部２３に設置され、携帯端末１０への充電が開始された場合に点灯する。
【００２２】
電源コード３０は、充電装置２０に電力を供給するためのコードである。本実施例では、電源コード３０は、正極３４、負極３２、及び、フレームグラウンドＦＧ（図３参照）を有している。
【００２３】
続いて、図３を参照して、充電装置２０の内部構成について説明する。図３に示すように、充電装置２０は、端子２４と、センサ２６と、表示用ＬＥＤ２８と、スイッチＳＷ１と、スイッチＳＷ２と、充電回路４０と、検出回路４２と、除電回路４４と、制御装置５０を備える。端子２４、センサ２６、及び、表示用ＬＥＤ２８については上記の通りである。また、表示用ＬＥＤ２８、スイッチＳＷ１、スイッチＳＷ２、充電回路４０、及び、検出回路４２は、いずれも制御装置５０と電気的に接続されている。
【００２４】
検出回路４２は、センサ２６の出力から、携帯端末１０が設置部２３内に設置されたか否かを検知する回路である。検出回路４２は、センサ２６及び制御装置５０と電気的に接続されている。検出回路４２は、センサ２６が携帯端末１０を検知している間は、制御装置５０に信号を送信する。検出回路４２は、センサ２６が携帯端末１０を検出していない間は、制御装置５０に信号を送信しない。
【００２５】
スイッチＳＷ１は、端子２４と充電回路４０の間に設けられている。スイッチＳＷ１は、端子２４と充電回路４０の接続をＯＮ／ＯＦＦするためのスイッチである。図４に示すように、スイッチＳＷ１がＯＮされると、端子２４と充電回路４０が接続される。図３に示すように、スイッチＳＷ１がＯＦＦされると、端子２４と充電回路４０の接続が解除される。スイッチＳＷ１のＯＮ／ＯＦＦは、制御装置５０によって制御される。
【００２６】
充電回路４０は、電源コード３０（図１）から供給された電力によって携帯端末１０を充電するための回路である。充電回路４０は、電源コード３０（図１）の正極３４及び負極３２と接続されている。また、充電回路４０は、スイッチＳＷ１及び制御装置５０とも接続されている。上記の通り、スイッチＳＷ１がＯＮされると（図４）、端子２４と充電回路４０が接続される。この間に、端子２４が携帯端末１０の接続用電極１６と接続されると、充電回路４０は、端子２４を介して携帯端末１０に電力を供給する。その結果、携帯端末１０の充電が行われる。
【００２７】
スイッチＳＷ２は、端子２４と除電回路４４の間に設けられている。スイッチＳＷ２は、端子２４と除電回路４４の接続をＯＮ／ＯＦＦするためのスイッチである。図３に示すように、スイッチＳＷ２がＯＮされると、端子２４と除電回路４４が接続される。図４に示すように、スイッチＳＷ１がＯＮされると、端子２４と除電回路４４の接続が解除される。スイッチＳＷ２のＯＮ／ＯＦＦは、制御装置５０によって制御される。
【００２８】
除電回路４４は、携帯端末１０に帯電した静電気を除電するための回路である。除電回路４４は、スイッチＳＷ２と電源コード３０（図１）のフレームグラウンドＦＧとを接続する。上記の通り、スイッチＳＷ２がＯＮされると（図３）、端子２４と除電回路４４が接続される。この間に、端子２４が携帯端末１０の接続用電極１６と接続されると、携帯端末１０に帯電していた静電気は、端子２４及び除電回路４４を介してフレームグラウンドＦＧに流れる。その結果、携帯端末１０に帯電した静電気が除電される。
【００２９】
制御装置５０は、接続されている各要素（表示用ＬＥＤ２８、スイッチＳＷ１、スイッチＳＷ２、充電回路４０、及び、検出回路４２）を制御する。本実施例では、図３、図４に示すように、制御装置５０は、スイッチＳＷ１、ＳＷ２のいずれか一方をＯＮ、他方をＯＦＦとするように制御している。制御装置５０は、後述の特定の場合（図５のＳ１０、Ｓ１２でＹＥＳの場合）を除いて、通常は、スイッチＳＷ２をＯＮ、スイッチＳＷ１をＯＦＦしている。以下、この状態を「通常の状態」と呼ぶ場合がある。
【００３０】
図５は、本実施例の充電装置２０の制御装置５０が実行する処理を示すフローチャートである。制御装置５０は、電源コード３０が電源に接続され、制御装置５０に電力の供給が開始されると図５の処理を開始する。図５の処理の開始時点では、制御装置５０は、スイッチＳＷ２をＯＮ、スイッチＳＷ１をＯＦＦし、端子２４を除電回路４４と接続させている。
【００３１】
Ｓ１０では、制御装置５０は、携帯端末１０が設置部２３に設置されることを監視する。上記の通り、携帯端末１０の下側部分を設置部２３内に収容すると、携帯端末１０の接続用電極１６が端子２４と接触する（図２参照）。その状態から、携帯端末１０を設置部２３の底部に着座させると、センサ２６が携帯端末１０の設置を検知する。センサ２６が携帯端末１０を検知すると、検出回路４２は、制御装置５０に信号の送信を開始する。この場合、制御装置５０は、Ｓ１０でＹＥＳと判断し、Ｓ１２に進む。
【００３２】
Ｓ１２では、さらに、制御装置５０は、携帯端末１０が設置部２３に設置された状態で所定の除電期間が経過することを監視する。ここで、除電期間とは、予め決められた時間であって、携帯端末１０に帯電した静電気を、端子２４及び除電回路４４を介して除電するのに必要十分な期間である。例えば、除電期間は０．１秒とすることができる。携帯端末１０が設置部２３に設置された状態で所定の除電期間が経過すると、制御装置５０は、Ｓ１０、Ｓ１２でＹＥＳと判断し、Ｓ１４に進む。上記の通り、携帯端末１０を設置部２３に設置する過程で、携帯端末１０の接続用電極１６が端子２４と接触する（図２参照）。携帯端末１０の接続用電極１６が端子２４に接触することにより、携帯端末１０に帯電した静電気が、端子２４と除電回路４４を介してフレームグラウンドＦＧに流れ始める。即ち、携帯端末１０に帯電した静電気の除電が開始される。その後、制御装置５０が携帯端末１０の設置を検出し（Ｓ１０でＹＥＳ）、かつ、その状態で所定の除電期間（０．１秒）が経過すると（Ｓ１２でＹＥＳ）、除電期間が経過した時点で、携帯端末１０に帯電した静電気の除電は既に完了している。
【００３３】
Ｓ１４では、制御装置５０は、スイッチＳＷ１をＯＮし、スイッチＳＷ２をＯＦＦする。これにより、端子２４は、除電回路４４に代わって充電回路４０と接続される。充電回路４０は、端子２４を介して携帯端末１０への充電を開始する。上記の通り、Ｓ１２でＹＥＳと判断される場合、携帯端末１０に帯電した静電気の除電は既に完了している。そのため、Ｓ１４で端子２４と充電回路４０を接続させて充電を開始する場合であっても、静電気による充電装置２０への悪影響が抑制される。なお、図５のフローチャートでは示していないが、Ｓ１４では、制御装置５０は、表示用ＬＥＤ２８を点灯させる。これにより、ユーザは、携帯端末１０への充電が開始されたことを知ることができる。Ｓ１４を終えると、Ｓ１６に進む。
【００３４】
Ｓ１６では、制御装置５０は、携帯端末１０が設置部２３から取り外されることを監視する。充電が十分に完了した場合など、ユーザが携帯端末１０を設置部２３から取り外すと、センサ２６は携帯端末１０を検知しなくなる。検出回路４２は、制御装置５０への信号の送信を停止する。この場合、制御装置５０は、Ｓ１６でＹＥＳと判断し、Ｓ１８に進む。
【００３５】
Ｓ１８では、さらに、制御装置５０は、携帯端末１０が設置部２３から取り外された状態で所定の待機期間が経過することを監視する。ここで、待機期間とは、予め決められた時間であって、制御装置５０がスイッチＳＷ１、ＳＷ２を通常の状態に戻すまで猶予期間である。例えば、待機期間は２０秒である。例えば、ユーザが携帯端末１０を設置部２３から取り外し、その後長時間携帯端末１０を使用する場合など、待機期間の間に設置部２３に戻されない場合には、制御装置５０は、Ｓ１６、Ｓ１８でＹＥＳと判断し、Ｓ２０に進む。
【００３６】
一方、ユーザが携帯端末１０を設置部２３から取り外した後、待機期間の経過前に再び携帯端末１０を設置部２３に設置する場合、制御装置５０は、Ｓ１６、Ｓ１８でＮＯと判断し、再びＳ１６の監視に戻る。この場合、制御装置５０は、端子２４と充電回路４０とが接続されるまでの除電期間の経過を待つことなく、速やかに携帯端末１０への充電を開始（再開）することができる。
【００３７】
Ｓ２０では、制御装置５０は、スイッチＳＷ１をＯＦＦし、スイッチＳＷ２をＯＮする（即ち、通常の状態に戻す）。これにより、制御装置５０は、端子２４と充電回路４０との接続を解除し、再び端子２４を除電回路４４と接続する。なお、Ｓ２０では、制御装置５０は、表示用ＬＥＤ２８を消灯させる。Ｓ２０を終えると、制御装置５０は、再びＳ１０の監視に戻る。
【００３８】
以上、本実施例の充電装置２０の構成及び動作について説明した。上記の通り、本実施例の充電装置２０では、制御装置５０は、携帯端末１０が設置部２３に設置された後、所定の除電期間が経過するまでの間は、スイッチＳＷ２をＯＮするとともにスイッチＳＷ１をＯＦＦし、端子２４を除電回路４４に接続させている。そのため、携帯端末１０に静電気が帯電していたとしても、携帯端末１０が設置部２３に設置されてから除電期間が経過するまでの間に、帯電した静電気は除電回路４４を通じて除電される。除電期間が経過して静電気が除電された後に（図５のＳ１０、Ｓ１２でＹＥＳ）、端子２４が充電回路４０と接続され、携帯端末１０への充電が開始される。従って、本実施例の充電装置２０によると、静電気による充電装置２０への悪影響を抑制することができる。
【００３９】
本実施例の充電装置２０では、制御装置５０は、携帯端末１０が設置部２３に設置されていない間（図５のＳ１０でＮＯ）は、スイッチＳＷ２をＯＮするとともにスイッチＳＷ１をＯＦＦし、端子２４を除電回路４４に接続させている。そのため、端子２４と携帯端末１０が接続されていない間も、充電装置２０の外部で発生する静電気による充電装置２０への悪影響を抑制することができる。
【００４０】
本実施例では、制御装置５０は、携帯端末１０が設置部２３から取り外された状態で所定の待機期間が経過する場合（図５のＳ１６、Ｓ１８でＹＥＳ）に、スイッチＳＷ１、ＳＷ２を通常の状態に戻し、端子２４を再び除電回路４４に接続させる。制御装置５０は、所定の待機期間が経過する前に再び携帯端末１０を設置部２３に設置する場合（図５のＳ１６、Ｓ１８でＮＯ）、スイッチＳＷ１、ＳＷ２を通常の状態に戻さない。この場合、充電装置２０は、端子２４と充電回路４０とが接続されるまでの除電期間の経過を待つことなく、速やかに携帯端末１０への充電を開始（再開）することができる。
【００４１】
本実施例では、制御装置５０は、携帯端末１０が設置部２３に設置されたか否か（即ち携帯端末１０の接続用電極１６が端子２４に接続されたか否か）を、センサ２６の検知状態に基づいて判断している（図５のＳ１０、Ｓ１６）。従って、本実施例では、センサ２６の出力に応じて、適切に静電気による充電装置２０への悪影響を抑制することができる。
【００４２】
本実施例と請求項の記載の対応関係を説明しておく。携帯端末１０が「端末装置」の一例である。除電期間、待機期間が、それぞれ「第１の期間」、「第２の期間」の一例である。
【００４３】
（第２実施例）
第２実施例について、図６を参照して、第１実施例と異なる点を説明する。図６に示すように、本実施例の充電装置２０は、充電装置２０に接続される電源コードにフレームグラウンド（ＦＧ）が備えられていない場合に用いられる。
【００４４】
図６に示すように、本実施例の充電装置２０の基本的構成も第１実施例の充電装置２０と共通するが、除電回路４４がスイッチＳＷ２と負極３２との間に設けられるとともに、電源（正極３４及び負極３２）と充電回路４０との間にスイッチＳＷ３が設けられている点で第１実施例とは異なる。
【００４５】
本実施例では、除電回路４４は、負極３２に接続されている。そのため、スイッチＳＷ２がＯＮされている間（通常の状態）は、端子２４と負極３２が接続される。この場合、端子２４に携帯端末１０の接続用電極１６が接続されると、携帯端末１０に帯電した静電気は、端子２４と除電回路４４を介して負極３２に流れる。その結果、携帯端末１０に帯電した静電気が除電される。
【００４６】
スイッチＳＷ３は、電源（正極３４及び負極３２）と充電回路４０との接続をＯＮ／ＯＦＦするためのスイッチである。本実施例では、制御装置５０は、スイッチＳＷ３をスイッチＳＷ１と同期して作動させる。そのため、本実施例では、制御装置５０は、携帯端末１０が設置部２３に設置された後、所定の除電期間が経過するまでの間（通常の状態）は、スイッチＳＷ２をＯＮするとともにスイッチＳＷ１、ＳＷ３をＯＦＦする。この場合、端子２４と除電回路４４（負極３２）が接続される一方、端子２４と充電回路４０の接続、及び、電源（正極３４及び負極３２）と充電回路４０との接続は遮断される。上記の通り、この間に、端子２４に携帯端末１０の接続用電極１６が接続されると、携帯端末１０に帯電した静電気は除電回路４４を通じて除電される。
【００４７】
一方、携帯端末１０が設置部２３に設置された状態で除電期間が経過すると、制御装置５０は、スイッチＳＷ２をＯＦＦするとともにスイッチＳＷ１、ＳＷ３をＯＮする。この場合、端子２４と除電回路４４（負極３２）の接続が遮断され、端子２４と充電回路４０が接続される。さらに、電源（正極３４及び負極３２）と充電回路４０も接続される。その結果、充電回路４０は、端子２４を介して携帯端末１０への充電を開始する。
【００４８】
以上、本発明の各実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を含んでもよい。
【００４９】
（変形例１）  上記の各実施例では、制御装置５０は、携帯端末１０が設置部２３に設置されていない間（図５のＳ１０又はＳ１２でＮＯ）は、端子２４と除電回路４４を常時接続させている。これに限られず、制御装置５０は、携帯端末１０が設置部２３に設置されていない間（図５のＳ１０又はＳ１２でＮＯ）は、端子２４を、除電回路４４と充電回路４０のいずれにも接続させないようにしてもよい。その場合、制御装置５０は、携帯端末１０が設置部２３に設置された場合に、端子２４と除電回路４４とを接続させ、その後、所定の除電期間が経過した後に、端子２４と除電回路４４の接続を解除して端子２４と充電回路４０とを接続させるようにしてもよい。
【００５０】
（変形例２）  上記の各実施例では、端子２４とは別個に、携帯端末１０が設置部２３に設置されたことを検知するセンサ２６を備えている。これに代えて、端子２４をセンサとして用いてもよい。この場合、制御装置５０は、端子２４が携帯端末１０の接続用電極１６と接続された状態で、所定の除電期間が経過すると、端子２４と除電回路４４の接続を解除して端子２４と充電回路４０とを接続させるようにしてもよい。
【００５１】
（変形例３）  上記の各実施例では、制御装置５０は、携帯端末１０が設置部２３から取り外された状態で所定の待機期間が経過する場合（図５のＳ１６、Ｓ１８でＹＥＳ）に、各スイッチを通常の状態に戻し、端子２４を再び除電回路４４と接続させる。これに限られず、制御装置５０は、携帯端末１０が設置部２３から取り外された場合に、所定の待機期間の経過を待つことなく、ただちに各スイッチを通常の状態に戻してもよい。
【００５２】
（変形例４）  携帯端末１０は、携帯型の端末装置であれば、上記の情報コードリーダに限られず、任意の端末装置とすることができる。従って、例えば、携帯端末１０を、携帯型のＲＦＩＤリーダライタとしてもよい。
【００５３】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００５４】
１０：携帯端末
１２：表示部
１４：操作部
１６：接続用電極
２０：充電装置
２２：筐体
２３：設置部
２４：端子
２６：センサ
２８：表示用ＬＥＤ
３０：電源コード
３２：負極
３４：正極
４０：充電回路
４２：検出回路
４４：除電回路
５０：制御装置
ＦＧ：フレームグラウンド
ＳＷ１：スイッチ
ＳＷ２：スイッチ
ＳＷ３：スイッチ
【図１】
2014075887.tif 000003
【図２】
2014075887.tif 000004
【図３】
2014075887.tif 000005
【図４】
2014075887.tif 000006
【図５】
2014075887.tif 000007
【図６】
2014075887.tif 000008